(57)【特許請求の範囲】
【請求項１】
座部とその後方にリクライニング可能な背凭れ部と、座部の前方に垂下状態から水平状態まで出没可能な足載せ部とを備えた椅子式マッサージ機であって、
該椅子式マッサージ機は、
マッサージ部材と駆動部を備えた下腿マッサージ機構を備えると共に、該下腿マッサージ機構をその駆動部により下腿の長さ方向に移動するためのガイドレールを座部及び足載せ部にそれぞれ備えて、
足載せ部が突出して座部及び足載せ部の各ガイドレールが連結された状態で、前記下腿マッサージ機構を座部から足載せ部にかけた移動範囲内で移動可能としており、
前記座部及び足載せ部における前記下腿マッサージ機構の移動範囲であって、且つ
被施療者の両下腿の中間及び当該被施療者の両下腿の左右外側、又は
被施療者の両下腿の中間並びに座部両側上部及び足載せ部両側上部に設けられた立上壁の立壁内面側
に、空気給排装置の空気給排により膨縮する膨縮袋を配設したことを特徴とする椅子式マッサージ機。
【請求項２】
前記マッサージ部材を、前記下腿マッサージ機構に備えた駆動部によってマッサージ動作させるようにしたことを特徴とする請求項１記載の椅子式マッサージ機。
【請求項３】
前記背凭れ部は、昇降可能なマッサージ部材を備えた背部マッサージ機構または／及び空気給排装置の空気給排により膨縮する膨縮袋を設けた背凭れ部であることを特徴とする請求項１記載の椅子式マッサージ機。
【請求項４】
前記下腿マッサージ機構のマッサージ部材は、傾斜状に配備される左右一対の揉み輪を下腿の左右それぞれに対応するよう同軸上に複数並設したことを特徴とする請求項１、請求項２または請求項３のいずれかに記載の椅子式マッサージ機。
【請求項５】
前記被施療者の両下腿の中間に配設された膨縮袋を重合させており、
前記重合した膨縮袋は、
左右方向において比較的大きな下部の膨縮袋と、
該大きな膨縮袋の上部左右に、該大きな膨縮袋より小さな膨縮袋を分割してそれぞれ配設したことを特徴とする請求項１記載の椅子式マッサージ機。
【請求項６】
前記足載せ部が垂下した状態においては、前記下腿マッサージ機構の移動範囲を座部に限り、前記ガイドレールが連結された状態においては、前記マッサージ機構の移動範囲を前記座部から足載せ部にかけての範囲とすることを特徴とする請求項１記載の椅子式マッサージ機。
【請求項７】
前記下腿マッサージ機構は、当該下腿マッサージ機構の前記各ガイドレール上における位置を検知する位置センサにより前記駆動部が電子制御され、
前記足載せ部が垂下した状態においては、下腿マッサージ機構の移動範囲を前記座部に限り、
前記ガイドレールが連結された状態においては、同移動を座部及び足載せ部の範囲とすることを特徴とする請求項１記載の椅子式マッサージ機。
【発明の詳細な説明】
【技術分野】
【０００１】
本発明は、本体のコンパクト化を図ることができると共に、下腿全体を連続的にマッサージすることが可能な椅子式マッサージ機に関するものである。
【背景技術】
【０００２】
従来、椅子式マッサージ機において、背凭れ部に電動の揉み玉や空気給排装置による空気の給排で膨縮する膨縮袋などから構成されるマッサージ機構を適所に設けた構成のものは主流となっており、加えて背凭れ部の他に座部や足載せ部などにも同様のマッサージ機構を配設して下腿をマッサージできるようにしたものは既によく知られている。
【０００３】
この種従来の椅子式マッサージ機としては、図１７や図１８に示したようなものがあり、例えば、図１７に示した椅子型マッサージ装置は、座部１とこれの後部に軸部２を介して回動可能に連結された背もたれ部３とを備えた椅子型マッサージ装置において、下半身の太腿部からふくらはぎを載置可能とする前後に長く形成された座部１に、ガイドレールに沿って往復移動するマッサージローラ３５を備えた移動体３６を設けることで、太腿部からふくらはぎにかけた範囲をマッサージすることができるようにしている。
【０００４】
また、図１８に示した椅子式マッサージ機は、座部１とその後部にリクライニング可能に配される背凭れ部２とを備えた椅子式マッサージ機であり、該椅子式マッサージ機は、背凭れ部２の上端付近から少なくとも座部１の前端付近の位置にかけて施療子３を往復移動案内するロングガイドレール４を備えたものであり、背凭れ部２を最後方に倒す場合に首筋からふくらはぎまでの全身マッサージを連続的に可能としている。尚、この椅子式マッサージ機では、座部１の前側には足載せ部３６をほぼ水平姿勢と垂下姿勢とにわたって姿勢切替えできるよう出没自在に取り付けられている。
【特許文献１】特開平９−２２０２６８号公報（第１３頁、図１）
【特許文献２】特開２０００−２２５１６０号公報（第５頁、図６）
【発明の開示】
【発明が解決しようとする課題】
【０００５】
ところで、まず上記特許文献１の椅子型マッサージ装置については、移動可能なマッサージローラによって太腿部からふくらはぎを連続的にマッサージするように構成されており、被施療者は下腿全体を前方方向にまっすぐ延ばした楽な姿勢でこのマッサージを受けることができるように工夫されている。
【０００６】
しかし、前記椅子型マッサージ装置では、この前後に長く形成された座部は折り畳んだりコンパクトにしたりすることができず、設置場所における省スペース化や梱包または運搬時におけるコンパクト化を図る上で問題となっていた。
【０００７】
また、上記特許文献２の椅子式マッサージ機については、首筋からふくらはぎまでの全身マッサージを連続的に実施できるロングガイドレールをリクライニング可能な背凭れ部に固設したものであるが、その構成上、背凭れ部を最後方に倒す場合にしか、臀部からふくらはぎまで（下腿）をマッサージすることができない。
【０００８】
よって、前記椅子式マッサージ機では、背凭れ部のリクライニング角度によっては、下腿におけるマッサージが実施できなくなるという課題があった。
【０００９】
そこで、本発明は、上記問題点を解消する為に成されたものであり、本体のコンパクト化を図ることができると共に、背凭れ部のリクライニング角度にかかわらず、下腿全体を連続的にマッサージすることが可能な椅子式マッサージ機を提供する事を目的とするものである。
【課題を解決するための手段】
【００１０】
すなわち、本発明の椅子式マッサージ機は、座部とその後方にリクライニング可能な背凭れ部と、座部の前方に垂下状態から水平状態まで出没可能な足載せ部とを備えた椅子式マッサージ機であって、該椅子式マッサージ機は、マッサージ部材と駆動部を備えた下腿マッサージ機構を備えると共に、該下腿マッサージ機構をその駆動部により下腿の長さ方向に移動するためのガイドレールを座部及び足載せ部にそれぞれ備え、足載せ部が水平状態に突出した場合に座部及び足載せ部の各ガイドレールが連結されて、下腿マッサージ機構を座部から足載せ部にかけて移動可能にしたものとしている。
【００１１】
また、本発明の椅子式マッサージ機は、前記マッサージ部材を、前記下腿マッサージ機構に備えた駆動部によってマッサージ動作させるようにしたものとしている。
【００１２】
さらに、本発明の椅子式マッサージ機は、前記背凭れ部は、昇降可能なマッサージ部材を備えた背部マッサージ機構または／及び空気給排装置の空気給排により膨縮する膨縮袋を設けた背凭れ部であるものとしている。
【００１３】
また、本発明の椅子式マッサージ機は、前記下腿マッサージ機構のマッサージ部材は、傾斜状に配備される左右一対の揉み輪を下腿の左右それぞれに対応するよう同軸上に複数並設したものとしている。
【００１４】
さらに、本発明の椅子式マッサージ機は、前記座部の下腿マッサージ機構の移動範囲には、座部の揉み輪移動位置の各左右上部の適所に空気給排装置の空気給排により膨縮する膨縮袋を配設してあるものとしている。
【００１５】
さらにまた、本発明の椅子式マッサージ機は、前記座部の下腿マッサージ機構の移動範囲には、揉み輪移動位置の座部両側上部に立上壁を設け、該立上壁の立壁内面側に空気給排装置の空気給排により膨縮する膨縮袋を各々対向状に配設してあるものとしている。
【００１６】
また、本発明の椅子式マッサージ機は、前記足載せ部の下腿マッサージ機構の移動範囲には、足載せ部の揉み輪移動位置の各左右上部の適所に空気給排装置の空気給排により膨縮する膨縮袋を配設してあるものとしている。
【００１７】
さらに、本発明の椅子式マッサージ機は、前記足載せ部の下腿マッサージ機構の移動範囲には、揉み輪移動位置の足載せ部両側上部に立上壁を設け、該立上壁の立壁内面側に空気給排装置の空気給排により膨縮する膨縮袋を各々対向状に配設してあるものとしている。
【発明の効果】
【００１８】
よって、本発明の椅子式マッサージ機は、座部とその後方にリクライニング可能な背凭れ部と、座部の前方に垂下状態から水平状態まで出没可能な足載せ部とを備えた椅子式マッサージ機であって、該椅子式マッサージ機は、マッサージ部材と駆動部を備えた下腿マッサージ機構を備えると共に、該下腿マッサージ機構をその駆動部により下腿の長さ方向に移動するためのガイドレールを座部及び足載せ部にそれぞれ備え、足載せ部が水平状態に突出した場合に座部及び足載せ部の各ガイドレールが連結されて、下腿マッサージ機構を座部から足載せ部にかけて移動可能にしたものとしているため、コンパクト化を図れる出没可能な足載せ部を採用しつつ、背凭れ部のリクライニング角度に関係なく下腿全体を連続的にマッサージすることができる。
【００１９】
また、本発明の椅子式マッサージ機は、前記マッサージ部材を、前記下腿マッサージ機構に備えた駆動部によってマッサージ動作させるようにしたものとしているため、下腿マッサージ機構を簡素化でき、コスト低減やメンテナンスの簡易化を図れる。
【００２０】
さらに、本発明の椅子式マッサージ機は、前記背凭れ部は、昇降可能なマッサージ部材を備えた背部マッサージ機構または／及び空気給排装置の空気給排により膨縮する膨縮袋を設けた背凭れ部であるものとしているため、下腿と共に背部全体を含む全身マッサージが可能となる。
【００２１】
また、本発明の椅子式マッサージ機は、前記下腿マッサージ機構のマッサージ部材は、傾斜状に配備される左右一対の揉み輪を下腿の左右それぞれに対応するよう同軸上に複数並設したものとしているため、両下腿を同時に揉みほぐすマッサージが実現できる。
【００２２】
さらに、本発明の椅子式マッサージ機は、前記座部の下腿マッサージ機構の移動範囲には、座部の揉み輪移動位置の各左右上部の適所に空気給排装置の空気給排により膨縮する膨縮袋を配設してあるものとしているため、揉み輪による比較的押圧力の強い揉みマッサージに加えて、主に大腿部をそれぞれ左右からソフトに挟圧するマッサージが可能となり、多様なマッサージ感をもたらすことができる。また左右の膨縮袋は、その膨縮または膨張保持により大腿部を安定保持させる効果を発揮し、その状態で揉み輪による的確な揉みマッサージが実施できる。
【００２３】
さらにまた、本発明の椅子式マッサージ機は、前記座部の下腿マッサージ機構の移動範囲には、揉み輪移動位置の座部両側上部に立上壁を設け、該立上壁の立壁内面側に空気給排装置の空気給排により膨縮する膨縮袋を各々対向状に配設してあるものとしているため、主に大腿部の側面に対する押圧マッサージが実現できるし、その膨縮または膨張保持により大腿部を左右から安定保持した状態で前記マッサージ部材により的確なマッサージが実施できる。
【００２４】
また、本発明の椅子式マッサージ機は、前記足載せ部の下腿マッサージ機構の移動範囲には、足載せ部の揉み輪移動位置の各左右上部の適所に空気給排装置の空気給排により膨縮する膨縮袋を配設してあるものとしているため、揉み輪による比較的押圧力の強い揉みマッサージに加えて、主に脛部をそれぞれ左右からソフトに挟圧するマッサージが可能となり、多様なマッサージ感をもたらすことができる。また左右の膨縮袋は、その膨縮または膨張保持により脛部を安定保持させる効果を発揮し、その状態で揉み輪による的確な揉みマッサージが実施できる。
【００２５】
さらに、本発明の椅子式マッサージ機は、前記足載せ部の下腿マッサージ機構の移動範囲には、揉み輪移動位置の足載せ部両側上部に立上壁を設け、該立上壁の立壁内面側に空気給排装置の空気給排により膨縮する膨縮袋を各々対向状に配設してあるものとしているため、主に脛部の側面に対する押圧マッサージが実現できるし、その膨縮または膨張保持により脛部を左右から安定保持した状態で前記マッサージ部材により的確なマッサージが実施できる。
【発明を実施するための最良の形態】
【００２６】
以下に、本発明の椅子式マッサージ機を、図面に示す一実施形態に基づきこれを詳細に説明する。図１は本発明の椅子式マッサージ機の一実施形態を示す斜視図であり、図２は本発明の椅子式マッサージ機の一実施形態を示す使用状態図であり、図３は本発明の椅子式マッサージ機の一実施形態を示す右側面図であり、図４は本発明の椅子式マッサージ機における下腿マッサージ機構の一実施形態を示す斜視説明図であり、図５は本発明の椅子式マッサージ機における下腿マッサージ機構の一実施形態を示す部分説明図であり、図６は本発明の椅子式マッサージ機における下腿マッサージ機構の移動に関する一実施形態を示す平面説明図であり、図７及び図８は本発明の椅子式マッサージ機における座部及び足載せ部にそれぞれ設けた各ガイドレールの連結及び切断に関する一実施形態を示す側面説明図であり、図９乃至図１２は本発明の椅子式マッサージ機における座部または足載せ部に下腿マッサージ機構及び膨縮袋を設けた内部状態の一実施形態を示す部分断面説明図であり、図１３及び図１４は本発明の椅子式マッサージ機における下腿マッサージ機構が移動する座部及び足載せ部に膨縮袋を設けた状態の一実施形態を示す部分斜視説明図であり、図１５及び図１６は本発明の椅子式マッサージ機における座部及び足載せ部に立上壁を設けた状態の一実施形態を示す部分斜視説明図であり、図１７及び図１８は従来技術を示す参考図である。
【００２７】
すなわち、図１乃至図３の実施形態で示したように、本発明の椅子式マッサージ機１ａは、被施療者の臀部及び大腿部などが当接する座部１１ａと、その後方に被施療者の背部及び腰部、それに頭部などが当接するリクライニング可能な背凭れ部１２ａと、座部１１ａの前方に垂下状態から水平状態まで出没可能な被施療者の脛部などを載置する足載せ部１３ａとを備えたものである。
【００２８】
また、前記座部１１ａの両側に肘掛け部１４ａを立設すると共に、前記背凭れ部１２ａの左右両側に前方に向かって突出した側壁部２ａを夫々配設している。
【００２９】
尚、図３に示すように、前記片側の肘掛け部１４ａの上方にリモコンである操作部５ａを立設させており、この椅子式マッサージ機１ａにおける全操作を行うようにしている。
【００３０】
さらに、前記背凭れ部１２ａにおいて、左右一対の揉み玉から構成するマッサージ部材３１ａを備えた昇降可能な背部マッサージ機構３ａを設けると共に、空気給排装置４１ａの空気給排により膨縮する膨縮袋４ａを適所に複数設けたものとしている。
【００３１】
すなわち、図１に示すように前記背部マッサージ機構３ａは、前記背凭れ部１２ａの内部左右に設けた左右一対のガイドレール３２ａに沿って該背凭れ部１２ａの上端から下端にかけて昇降するようにしている。
【００３２】
加えて前記背部マッサージ機構３は、モータ等を駆動源とした機械式の施療機構であり、前記背凭れ部１２ａに凭れた被施療者の首部、背部、腰部、臀部等の背面全域を、たたき、揉み、ローリング、振動、指圧などの多様な形態で施療するようにしたものである。
【００３３】
また、前記空気給排装置４１ａは、図示していないが圧縮空気を発生させるエアポンプと、該圧縮空気を各エアホースに分配する複数の電磁弁からなる分配器と、該分配器の内部機構を電子回路により制御する電子制御回路とから主に構成され、前記座部１１ａの下部空間に配備している。
【００３４】
前記膨縮袋４ａについては、軟質樹脂やナイロンのシートによる溶着成形、または同材質のブロー成形等で製造され、前記空気給排装置３ａの空気の給排気による継続的な膨縮に耐え得るものである。
【００３５】
よって、前記空気給排装置４１ａによる各前記膨縮袋４ａの膨縮動作によって、前記背凭れ部１２ａにおける被施療者の所定部位を押圧または指圧マッサージすることができる。
【００３６】
図１に示す形態の場合、前記背凭れ部１２ａの左右及び上下に前記各膨縮袋４ａを設けており、被施療者の背中及び腰部を押圧、または左右両側から挟圧するようなマッサージが実施できる。
【００３７】
他にも、前記左右の肘掛け部１４ａの上部には、必要に応じて人体の手や前腕を嵌入保持して施療するための凹部を形成する腕保持部１５ａを設ける事ができる。図１の場合、該腕保持部１５ａの内部において、上下に各膨縮袋４ａを夫々対設するよう設けて、凹部内部で人体の手や前腕に対する挟圧施療を実施するようにしている。
【００３８】
また、前記左右の側壁部２ａは、座部１１ａに着座した被施療者の肩または上腕側方となる位置に配設しており、該左右の側壁部２ａの内側面にそれぞれ左右方向に重合した膨縮袋４ａを並列状態に埋設している。これら重合した膨縮袋４ａ・４ａはその基端部のみを側壁部２ａの基端部に取り付けているため、膨張時には重合した膨縮袋４ａ・４ａが扇状に広がって被施療者の身体側部を挟圧しつつ、身体前方まで覆うようになる。
【００３９】
よって、前記左右側壁部２ａの前記膨縮袋４ａは、膨縮動作により身体側部を施療する事ができるだけでなく、一定の時間において膨張状態を保つならば、被施療者の身体が前記背凭れ部１２ａから離れないようにしっかりと保持する事ができ、被施療者の身体を固定したままの状態で前記背部マッサージ機構３ａの前記マッサージ部材３１ａによる背部からのマッサージを効果的に実施することができる。
【００４０】
また、本発明の椅子式マッサージ機１ａは、図１に示すようにマッサージ部材７１ａと駆動部７３ａを備えた下腿マッサージ機構７ａを備えると共に、該下腿マッサージ機構７ａをその駆動部７３ａにより下腿の長さ方向に移動するためのガイドレール７５ａを座部１１ａ及び足載せ部１３ａにそれぞれ備えたものとしている。
【００４１】
すなわち、図４に示すように前記下腿マッサージ機構７ａの前記マッサージ部材７１ａは、傾斜状に配備される左右一対の揉み輪７１１ａ・７１１ａを下腿の左右それぞれに対応するよう同軸上に複数並設したものである。
【００４２】
また、前記駆動部７３ａはモータ及び変速機から主に構成するものであるが、前記下腿マッサージ機構７ａの移動に限らず、前記マッサージ部材７１ａのマッサージ動作における駆動力を発生させるものとしている。
【００４３】
よって、前記駆動部７３ａにおけるモータの回転が左右方向に延設する駆動軸７２ａに伝達され、前記揉み輪７１１ａ・７１１ａを回転させてマッサージ動作すると共に、前記下腿マッサージ機構７ａ全体は前記ガイドレール７５ａに沿って移動することになる。
【００４４】
このように、前記マッサージ部材７１ａを前記下腿マッサージ機構７ａに備えた前記駆動部７３ａによってマッサージ動作させるようにしたものとしているため、機構の簡素化を図ることができる。
【００４５】
前記揉み輪７１１ａ・７１１ａは、左右対称の傾斜状に形成しているため、前記駆動軸７２ａの回転が伝達されると、その傾斜角度を一定周期で変化させつつ左右方向における揉み動作を発生させる。
【００４６】
尚、図示しないが、前記揉み輪７１１ａ・７１１ａにおける被施療者側への当接周部は、駆動軸７２ａの回転が伝達しないよう空回転可能としている。
【００４７】
さらに、図４及び図５に示すように前記駆動軸７２ａの左右両端には、回転ギヤ７２１ａ・７２１ａをそれぞれ設け、該各回転ギヤ７２１ａは前記各ガイドレール７５ａに固設された各ラック７５１ａに噛合している。
【００４８】
よって、前記各回転ギヤ７２１ａは、図６に示すように前記駆動軸７２ａの回転により確実に前記各ガイドレール７５ａの前記各ラック７５１ａ上を回転移動することになる。
【００４９】
尚、図４及び図５に示すように前記回転ギヤ７２１ａ・７２１ａの後方において、前記下腿マッサージ機構７ａにおける動作安定のための追従回転輪７４ａ・７４ａをそれぞれ設けている。該各追従回転輪７４ａは、前記各ガイドレール７５ａに設けた溝部７５２ａの内部で回転移動するようにしている。
【００５０】
前述した構成により本発明の椅子式マッサージ機１ａは、図６に示すように前記座部１１ａから前記足載せ部１３ａにかけて前記下腿マッサージ機構７ａが移動しながら下腿全体を前記マッサージ部材７１ａにてマッサージするよう構成したものである。
【００５１】
さらに、本発明の椅子式マッサージ機１ａは、図７及び図８、また図１３及び図１４に示すように前記足載せ部１３ａが水平状態の場合に前記座部１１ａ及び該足載せ部１３ａの前記各ガイドレール７５ａが連結され、前記下腿マッサージ機構７ａを座部１１ａから足載せ部１３ａにかけて移動可能にしたものとしている。
【００５２】
すなわち、前記座部１１ａにおける前記各ガイドレール７５ａの前端において、前記足載せ部１３ａ（垂下状態）における前記各ガイドレール７５ａの上端が各回動部７５３ａにて回動可能に連結している。
【００５３】
そして、図７は前記足載せ部１３ａが垂下した状態（収納状態）の場合を示しているが、この時足載せ部１３ａ側及び前記座部１１ａ側の前記各ガイドレール７５ａは互いに切断状態となり、前記下腿マッサージ機構７ａが座部１１ａから足載せ部１３ａにかけて移動不可能となる。
【００５４】
一方、図８は前記足載せ部１３ａが水平状態（突出状態）の場合を示しており、この時足載せ部１３ａ側及び前記座部１１ａ側の前記各ガイドレール７５ａは互いに連結し、前記下腿マッサージ機構７ａが座部１１ａから足載せ部１３ａにかけて移動可能となる。
【００５５】
尚、前記下腿マッサージ機構７ａの移動制御について、図示しないが該下腿マッサージ機構７ａの前記各ガイドレール７５ａ上における位置を検知する位置センサにより前記駆動部７３ａを電子制御して、前記足載せ部１３ａが垂下した状態においては、下腿マッサージ機構７ａの移動範囲を前記座部１１ａに限り、また足載せ部１３ａが水平状態においては、同移動を座部１１ａ及び足載せ部１３ａの範囲とすることができる。
【００５６】
また、本発明の椅子式マッサージ機１ａは、図９及び図１０に示すように前記座部１１ａ及び前記足載せ部１３ａの前記下腿マッサージ機構７ａの各移動範囲には、揉み輪７１１ａ・７１１ａの移動位置における各左右上部の適所に空気給排装置４１ａの空気給排により膨縮する膨縮袋４ａを配設したものとしている。
【００５７】
すなわち、両下腿の左右外側及び両下腿の中間において、重合状になった前記各膨縮袋４ａをそれぞれ内装しており、各膨縮袋４ａが膨張すると図１０に示すように各下腿を挟圧する方向へそれぞれ押圧することになる。
【００５８】
前記両下腿の中間に位置する重合状の各膨縮袋４ａについては、下部の膨縮袋４ａを左右方向において比較的大きなものを使用し、該大きな膨縮袋４ａの上部左右にそれより小さな膨縮袋４ａ・４ａを分割してそれぞれ配設した構成としている。
【００５９】
これにより、前記各揉み輪７１１ａによる比較的押圧力の強い揉みマッサージに加えて、両下腿をそれぞれ左右から前記膨縮袋４ａ・４ａによりソフトに挟圧でき、多様なマッサージ感をもたらすことができる。また左右の膨縮袋４ａ・４ａは、その膨縮または膨張保持により下腿を安定保持させる効果を発揮し、その状態で各揉み輪７１１ａによる的確なマッサージをもたらすことが可能となる。
【００６０】
また、図１１及び図１２、また図１５及び図１６に示す形態について、前記座部１１ａ及び前記足載せ部１３ａにおける前記下腿マッサージ機構７ａの各移動範囲に、前記揉み輪７１１ａ・７１１ａの移動位置の両側上部に立上壁６ａを設け、該立上壁６ａの立壁内面側に前記空気給排装置４１ａの空気給排により膨縮する前記膨縮袋４ａを各々対向状に配設したものである。
【００６１】
すなわち、図１１及び図１２に示すように両下腿の中間において、前述したような重合状の前記各膨縮袋４ａを設けると共に、前記座部１１ａの左右において両下腿の左右外側面にそれぞれ対応する前記各立上壁６ａを形成し、該各立上壁６ａに重合状の膨縮袋４ａ・４ａを縦装したものとしている。
【００６２】
よって、前記各立上壁６ａに設けた前記各膨縮袋４ａにより両下腿の側面に対する押圧マッサージが実現でき、また、各膨縮袋４ａの膨縮または膨張保持により両下腿を左右から安定保持した状態で前記各揉み輪７１１ａによる的確なマッサージをもたらすことが可能となる。
【００６３】
さらに図１２に示す構成の場合は、前記足載せ部１３ａにおける下腿の載置面から上方への高さ方向において、下腿の上方にまで前記各立上壁６ａに縦装する前記各膨縮袋４ａが達しているため、該各膨縮袋４ａが膨張すると各下腿を上外側と下内側との間をクロス状に挟圧する独特なマッサージが実現できる。
【図面の簡単な説明】
【００６４】
【図１】本発明の施療機の一実施形態を示す斜視図である。
【図２】本発明の施療機の一実施形態を示す使用状態図である。
【図３】本発明の施療機の一実施形態を示す右側面図である。
【図４】本発明の椅子式マッサージ機における下腿マッサージ機構の一実施形態を示す斜視説明図である。
【図５】本発明の椅子式マッサージ機における下腿マッサージ機構の一実施形態を示す部分説明図である。
【図６】本発明の椅子式マッサージ機における下腿マッサージ機構の移動に関する一実施形態を示す平面説明図である。
【図７】本発明の椅子式マッサージ機における座部及び足載せ部にそれぞれ設けた各ガイドレールの連結及び切断に関する一実施形態を示す側面説明図である。
【図８】本発明の椅子式マッサージ機における座部及び足載せ部にそれぞれ設けた各ガイドレールの連結及び切断に関する一実施形態を示す側面説明図である。
【図９】本発明の椅子式マッサージ機における座部または足載せ部に下腿マッサージ機構及び膨縮袋を設けた内部状態の一実施形態を示す部分断面説明図である。
【図１０】本発明の椅子式マッサージ機における座部または足載せ部に下腿マッサージ機構及び膨縮袋を設けた内部状態の一実施形態を示す部分断面説明図である。
【図１１】本発明の椅子式マッサージ機における座部または足載せ部に下腿マッサージ機構及び膨縮袋を設けた内部状態の一実施形態を示す部分断面説明図である。
【図１２】本発明の椅子式マッサージ機における座部または足載せ部に下腿マッサージ機構及び膨縮袋を設けた内部状態の一実施形態を示す部分断面説明図である。
【図１３】本発明の椅子式マッサージ機における下腿マッサージ機構が移動する座部及び足載せ部に膨縮袋を設けた状態の一実施形態を示す部分斜視説明図である。
【図１４】本発明の椅子式マッサージ機における下腿マッサージ機構が移動する座部及び足載せ部に膨縮袋を設けた状態の一実施形態を示す部分斜視説明図である。
【図１５】本発明の椅子式マッサージ機における座部及び足載せ部に立上壁を設けた状態の一実施形態を示す部分斜視説明図である。
【図１６】本発明の椅子式マッサージ機における座部及び足載せ部に立上壁を設けた状態の一実施形態を示す部分斜視説明図である。
【図１７】従来技術を示す参考図である。
【図１８】従来技術を示す参考図である。
【符号の説明】
【００６５】
１ａ  椅子式マッサージ機
１１ａ  座部
１２ａ  背凭れ部
１３ａ  足載せ部
１４ａ  肘掛け部
１５ａ  腕保持部
２ａ  側壁部
３ａ  背部マッサージ機構
３１ａ  マッサージ部材
３２ａ  ガイドレール
４ａ  膨縮袋
４１ａ  空気給排装置
５ａ  操作部
６ａ  立上壁
７ａ  下腿マッサージ機構
７１ａ  マッサージ部材
７１１ａ  揉み輪
７２ａ  駆動軸
７２１ａ  回転ギヤ
７３ａ  駆動部
７４ａ  追従回転輪
７５ａ  ガイドレール
７５１ａ  ラック
７５２ａ  溝部
７５３ａ  回動部
【図１】
0005086002.tif 000002
【図２】
0005086002.tif 000003
【図３】
0005086002.tif 000004
【図４】
0005086002.tif 000005
【図５】
0005086002.tif 000006
【図６】
0005086002.tif 000007
【図７】
0005086002.tif 000008
【図８】
0005086002.tif 000009
【図９】
0005086002.tif 000010
【図１０】
0005086002.tif 000011
【図１１】
0005086002.tif 000012
【図１２】
0005086002.tif 000013
【図１３】
0005086002.tif 000014
【図１４】
0005086002.tif 000015
【図１５】
0005086002.tif 000016
【図１６】
0005086002.tif 000017
【図１７】
0005086002.tif 000018
【図１８】
0005086002.tif 000019